(57)【要約】【課題】シンク近傍の任意の位置に、ＰＥＴボトルやガラス瓶などを逆さまにして安定的に保持することができ、不使用時には簡単に取り外すことも可能な水切り用具を提供する。【解決手段】本発明の水切り用具１は、吸盤状の底面を有する基盤部２と、この基盤部２上に直立する支持棒部３とを備える。支持棒部３は、ボトル状容器Ｂの飲み口に挿入可能な断面寸法に形成され、ここの飲み口を挿装してボトル状容器Ｂを倒立状態で保持する。支持棒部３の基部近傍から基盤部２の表面にかけては、複数本の突条４が略放射状に形成され、このリブによって飲み口が若干持ち上げられる。【選択図】図１
2004267292.tif 000002
【特許請求の範囲】
【請求項１】
吸盤状の底面を有する基盤部と、この基盤部上に直立する支持棒部とを備え、支持棒部は、ボトル状容器の飲み口に挿入可能な断面寸法に形成されたことを特徴とするボトル状容器の水切り用具。
【請求項２】
支持棒部の基部近傍から基盤部の表面にかけて、複数本の突条が略放射状に形成されたことを特徴とする請求項１に記載のボトル状容器の水切り用具。
【請求項３】
支持棒部の基部近傍から基盤部の表面にかけて、複数本の水抜き溝が略放射状に形成されたことを特徴とする請求項１に記載のボトル状容器の水切り用具。
【請求項４】
支持棒部の横断面形状が、略十字形、略星形、多角形その他の非円形状であることを特徴とする請求項１、２または３に記載のボトル状容器の水切り用具。
【請求項５】
基盤部と支持棒部とが、ゴム弾性体により一体成形されたことを特徴とする請求項１ないし４のいずれかに記載のボトル状容器の水切り用具。
【請求項６】
吸盤状の底面を有する基盤部と、この基盤部上に立設された複数個の支持枠部とを備え、支持枠部は、ボトル状容器の飲み口に外接可能な略環状に配置されるとともに、支持枠部の基部近傍から基盤部の表面にかけて、複数本の水抜き溝が形成されたことを特徴とするボトル状容器の水切り用具。
【請求項７】
基盤部と支持枠部とが、ゴム弾性体により一体成形されたことを特徴とする請求項６に記載のボトル状容器の水切り用具。
【発明の詳細な説明】
【０００１】
【発明の属する技術分野】
本発明は、使用済みとなったペットボトルやガラス瓶などの容器を水で洗浄した後、水を切って乾燥させるための水切り用具に関する。
【０００２】
【従来の技術】
近年、ゴミの減量化や資源リサイクルに対する意識が高まり、家庭ゴミについても、空き瓶、空き缶などの使用済み容器を材料別に分別して排出する習慣が定着しつつある。再生可能な材料としては、特に飲料業界で消費量が急増しているＰＥＴボトルが、材質的な優位性から高い関心を集めており、回収量も年々、増大している。
【０００３】
ただし、ＰＥＴボトルをはじめとする使用済み容器のリサイクルに際しては、予め容器内に残った飲み残しの飲料、特に糖分を水で洗浄してから回収することが望まれている。この洗浄が不十分であると、再処理時の効率低下や品質低下を招くからである。
【０００４】
従来、洗浄した容器の水切りに際しては、食器洗浄機や水切りカゴ、コップ立てなどの適当な突起部に容器を逆さまにして挿し込み、しばらく放置するという方法が一般的に採られていた。しかし、このような方法では、容器の保持状態が不安定になって容器が倒れたり、場所によっては邪魔にもなる。そこで、例えば特許文献１，２に記載されたような水切り用具も提案されている。これらの水切り用具は、壁面に取付可能な専用の用具に容器を保持できるようにしたもので、ＰＥＴボトルだけでなく、角形の紙パックや缶など、複数種類の容器に対応できるという特長を有している。
【０００５】
【特許文献１】
実用新案登録第３０８２６８５号公報
【特許文献２】
特開２００２−５８６２８号公報
【０００６】
【発明が解決しようとする課題】
上記各特許文献記載の水切り用具は、いずれも、壁面に取り付けて使用するようになっている。そのため、手狭になりがちな流し台廻りの壁面に、水切り用具を取り付けるためのスペースを定常的に確保しなければならないことに加え、取り付ける壁面がシンク等の排水設備から離れている場合には、壁面の下方に垂れ落ちる水を他の容器等で受ける必要が生じる。
【０００７】
特許文献２に記載の水切り用具は、吸盤を利用しているので、例えばシンクの側壁に、必要な場合のみ吸着させて使用することもできるが、この場合でも、保持した容器の重さで吸盤がシンクの側壁から剥落してしまう可能性がある。
【０００８】
本発明は、このような事情に鑑みてなされたもので、シンク近傍の任意の位置に、ＰＥＴボトルやガラス瓶などを逆さまにして安定的に保持することができ、不使用時には簡単に取り外すことも可能なボトル状容器の水切り用具を提供することを解決課題としている。
【０００９】
【課題を解決するための手段】
前記課題を解決するため、本発明のボトル状容器の水切り用具は、吸盤状の底面を有する基盤部と、この基盤部上に直立する支持棒部とを備え、支持棒部は、ボトル状容器の飲み口に挿入可能な断面寸法に形成されたことを特徴とする。
【００１０】
この発明によれば、基盤部を、例えば流し台カウンターのシンク脇などに吸着させて固定し、支持棒部にボトル状容器の飲み口を挿装することにより、ボトル状容器を倒立状態で保持することができる。基盤部は水平面に固定することができるので、ガラス瓶のような重い容器を保持する場合でも、基盤部が剥落することはない。ボトル状容器内から垂れ落ちた水は、流し台カウンターのシンク脇に通常、設けられている水切り勾配に沿って、シンク内へと自然に流下する。したがって、特に排水や水受けの対策を講じる必要もない。基盤部は吸盤状に形成されているので、排水に支障のない限り、任意の平坦な場所でこの水切り用具を使用することができる。また、不使用時には簡単に取り外せて、手狭になりがちなシンク廻りのスペースを有効に活用することができる。
【００１１】
この発明においては、上記支持棒部の基部近傍から基盤部の表面にかけて、複数本の突条、または水抜き溝を略放射状に形成するのが好ましい。これにより、ボトル状容器の飲み口と基盤部との間に適宜の隙間が形成されて、水が円滑に排出され、ボトル状容器内を早く乾燥させることができる。
【００１２】
また、この発明においては、支持棒部の横断面形状を、略十字形、略星形、多角形その他の非円形状とするのが好ましい。この構成も、ボトル状容器の飲み口内面と支持棒部との間に水を垂下させる隙間を確保する上で非常に有効である。
【００１３】
また、本発明の他の構成に係るボトル状容器の水切り用具は、吸盤状の底面を有する基盤部と、この基盤部上に立設された複数個の支持枠部とを備え、支持枠部は、ボトル状容器の飲み口に外接可能な略環状に配置されるとともに、支持枠部の基部近傍から基盤部の表面にかけて、複数本の水抜き溝が形成されたことを特徴とする。
【００１４】
この発明は、ボトル状容器の飲み口を外側から囲んで保持するように構成されたもので、この構成によっても、上記と同様の作用効果を得ることができる。
【００１５】
さらに、上記各構成の水切り用具において、基盤部と支持棒部、あるいは基盤部と支持枠部を、ゴム弾性体により一体成形すれば、ボトル状容器の挿脱時に、支持棒部または支持枠部が適度に変形して、保持状態の安定感が向上するとともに、水切り用具自体の触感や意匠性も向上する。この発明におけるゴム弾性体の種類は特に限定されないが、シリコンゴムをはじめとする各種合成ゴムや、天然ゴム、あるいはゴムに類した弾性を有する各種の熱可塑性エラストマー等を好適に利用することができる。
【００１６】
かかるゴム弾性体の実用的な硬度（ＪＩＳ硬度）は、基盤部が３０〜５０度、支持棒部及び支持枠部が５０度〜８０度の範囲であるが、全体の形状によっては、この範囲から多少外れても差し支えない。なお、このＪＩＳ硬度とは、日本工業規格・Ｋ・６２５３に定められたデュロメータ（タイプＡ／中硬さ用）でのゴム硬度測定試験によるものとする。
【００１７】
【発明の実施の形態】
図１〜図４は、本発明のボトル状容器の水切り用具の第一実施形態を示している。この水切り用具１は、吸盤状の底面を有する基盤部２と、この基盤部２上に直立してボトル状容器Ｂを保持する支持棒部３とを備えている。例示の基盤部２は平面形状が円形であるが、底面に吸盤機能があれば、その平面形状は楕円や多角形であってもよい。
【００１８】
支持棒部３は、略円錐形状の基部３１から、中間の細首部３２を経て、側面視略楕円形状の上半部３３へと連続するように形成されている。上半部３３は、凹面によって囲まれた略十字状の横断面を有し、最大幅がボトル状容器Ｂの飲み口の内径とほぼ同じか、やや小さくなるように形成されている。この形状は、ボトル状容器Ｂの飲み口を挿装したときに、飲み口の内面と支持棒部３との間に水を垂下させる隙間を確保できるようにしたものである。したがって、支持棒部３の横断面形状は、これ以外にも、例えば略星形や、側面が内側に凹んだ多角形状等、適宜の非円形状とすることができる。
【００１９】
基盤部２及び支持棒部３は、例えばシリコンゴム等のゴム弾性体によって一体に成形されている。例示の形態では、支持棒部３における軸芯部分３ａと外殻部分３ｂとの間で材料の硬度が異なっており、基盤部２と支持棒部３の外殻部分３ｂにはＪＩＳ硬度約４０度、支持棒部３の軸芯部分３ａにはＪＩＳ硬度約７０度の材料が使用されている。これにより、支持棒部３の直立性が向上するとともに、支持棒部３にボトル状容器Ｂを挿脱する際の感触も良好になる。ただし、各部の硬度はこれに限られるものではない。また、支持棒部３の内外を同一の硬度にしても、本発明の作用効果が特に損なわれるものではない。
【００２０】
支持棒部３の基部３１から基盤部２の表面にかけては、側面視略円弧状の突条４が、放射状に四箇所、形成されている。この突条４は、支持棒部３に挿装されたボトル状容器Ｂの飲み口と基盤部２との間に隙間を確保する作用をなす。ボトル状容器Ｂ内の水は、この隙間から円滑に排出され、短時間で乾燥する。
【００２１】
なお、突条４の本数はこの形態より増減してもよい。また、例示のような突条４を設ける替わりに、同様の位置に複数本の水抜き溝（図示せず）を形成してもよい。これによっても、上記突条４と同様の作用効果を得ることができる。
【００２２】
図５は、本発明のボトル状容器Ｂの水切り用具１の第二実施形態を示している。この水切り用具１０は、吸盤状の底面を有する基盤部２上に、複数個の支持枠部５を立設したものである。支持枠部５は、ボトル状容器Ｂの飲み口に外接しうるよう平面視略環状に配置され、その内側にボトル状容器Ｂの飲み口が挿入される。このような形態でも、ボトル状容器Ｂを倒立状態で安定的に保持することができる。例示の形態では支持枠部５が四個設けられているが、この個数は適宜増減可能である。
【００２３】
ボトル状容器Ｂを支持枠部５の内側に挿し込んだとき、その飲み口が基盤部２の表面よりも若干浮き上って保持されるように各部の寸法を設計すれば、隣り合った支持枠部５間の凹部から基盤部２の表面にかけて、水抜き溝６が形成されることになる。これにより、ボトル状容器Ｂ内の水を円滑に排出することができる。
【００２４】
【発明の効果】
本発明のボトル状容器の水切り用具は、水平面状に基盤部を吸着させて、支持棒部または支持枠部にボトル状容器の飲み口を挿し込むように構成されているので、ボトル状容器を安定して保持することができ、基盤部の剥落も生じにくい。この水切り用具を流し台カウンターのシンク脇に吸着させてば、ボトル状容器内から垂れ落ちる水の始末も極めて容易であり、不使用時には簡単に取り外せて、シンク廻りのスペースを有効に活用することができる。
【００２５】
さらに、支持棒部または支持枠部の基部近傍から基盤部の表面にかけて、突条や水抜き溝を形成したり、支持棒部の横断面形状を非円形状にすれば、ボトル状容器の飲み口と水切り用具との間に隙間が形成されて、水の排出が円滑になり、ボトル状容器内を早く乾燥させることができる。
【図面の簡単な説明】
【図１】本発明の第一実施形態にかかるボトル状容器の水切り用具の斜視図である。
【図２】同、側面図である。
【図３】同、上面図である。
【図４】同、縦断面図である。
【図５】本発明の第二実施形態にかかるボトル状容器の水切り用具の斜視図である。
【符号の説明】
１    水切り用具
１０  水切り用具
２    基盤部
３    支持棒部
４    突条
５    支持枠部
６    水抜き溝
Ｂ    ボトル状容器
【図１】
2004267292.tif 000003
【図２】
2004267292.tif 000004
【図３】
2004267292.tif 000005
【図４】
2004267292.tif 000006
【図５】
2004267292.tif 000007